(57)【要約】      （修正有）【課題】居住予定者が住宅設計に積極的に関与でき、かつ居住予定者の生活動線を考慮することで「心地よい暮らし」を実現する生活動線の設計方法及び設計ツールを提供する。【解決手段】生活動線設計ツールは、住宅基本設計前に行われ、住宅を構成する複数の住宅空間構成要素と、住宅空間構成要素を配置される基本レイヤーとを準備する準備ステップと、基本レイヤーに住宅空間構成要素を配置する住宅空間構成要素配置ステップと、住宅空間構成要素の間を移動すると予想される生活動線を描く生活動線描画ステップとを備える。住宅基本設計の前に、生活動線の設計が行われるため、生活動線を前提にした基本設計が可能となる。【選択図】図２
2019128853.tif 000002
【特許請求の範囲】
【請求項１】
住宅基本設計前に行う生活動線の設計方法であって、
住宅を構成する複数の住宅空間構成要素と、前記住宅空間構成要素を配置される基本レイヤーとを準備する準備ステップと、
前記基本レイヤーに前記住宅空間構成要素を配置する住宅空間構成要素配置ステップと、
前記住宅空間構成要素の間を移動すると予想される前記生活動線を描く生活動線描画ステップとを備えることを特徴とする、生活動線の設計方法。
【請求項２】
前記住宅空間構成要素配置ステップは、前記住宅空間構成要素が移動可能に前記基本レイヤーに配置されていることを特徴とする、請求項１に記載の生活動線の設計方法。
【請求項３】
前記住宅空間構成要素配置ステップは、前記住宅空間構成要素が平面視で円、楕円または角丸であることを特徴とする、請求項１または２に記載の生活動線の設計方法。
【請求項４】
前記生活動線描画ステップは、前記基本レイヤーに重ねられた少なくとも１枚の生活動線レイヤーに前記生活動線を描くことを特徴とする、請求項１〜３のいずれか一項に記載の生活動線の設計方法。
【請求項５】
前記生活動線描画ステップは、少なくとも人物、季節、時間またはこれらの組み合わせの要素に応じて前記生活動線を描くことを特徴とする、請求項４に記載の生活動線の設計方法。
【請求項６】
前記生活動線描画ステップの後に、前記住宅空間構成要素配置ステップにより住宅空間構成要素を配置された前記基本レイヤーと生活動線が描写された前記生活動線レイヤーとの状態を記録する記録ステップと、
前記記録ステップの後に、記録された前記基本レイヤーと前記生活動線レイヤーとの状態に基づいて、再度、住宅空間構成要素配置ステップまたは生活動線描画ステップの少なくともいずれか一方を行うことを特徴とする、請求項４または５に記載の生活動線の設計方法。
【請求項７】
住宅基本設計前に行う生活動線の設計に利用する設計ツールであって、
住宅を構成する複数の住宅空間構成要素と、
前記住宅空間構成要素を配置される基本レイヤーと、
生活動線を描く生活動線レイヤーとを備えることを特徴とする、生活動線の設計ツール。
【請求項８】
前記住宅空間構成要素は、平面視で円、楕円または角丸であることを特徴とする、請求項７に記載の生活動線の設計ツール。
【発明の詳細な説明】
【技術分野】
【０００１】
本発明は、住宅を設計する際の生活動線の設計方法および設計ツールに関する。
【０００２】
住宅を建築する際には実際の建築施工の前に住宅設計が行われる。そのような住宅設計では、一般的に、基本設計と、基本設計の後に行われる実施設計とが、主に住宅設計の専門家により行われる。基本設計では、住宅設計の専門家が、建築主に住宅の完成イメージを持ってもらうために、建築計画や建物デザインの基本的な図案を作成し、実施設計では、基本設計に基づいて、実際の構造図や設備図などに加え、平面詳細図、展開図のような意匠図等を作成する。
【０００３】
基本設計の図案や実施設計の構造図、設備図等は、通常は専用のＣＡＤやドラフターを使用してＰＣ上のレイヤーや実際の紙面に住宅空間構成要素等を描くことにより作成される。また、通常の住宅設計と少し変わった例として、特許文献１に示すように、平面にカードを配置して住宅空間構成要素等をパズルのように配置して設計を行うことも考えられている。
【先行技術文献】
【特許文献】
【０００４】
【特許文献１】特開２０１７−１３４０１号公報
【発明の概要】
【発明が解決しようとする課題】
【０００５】
しかし、従来の住宅設計では、専門家主導で、画一的な生活動線の効率化によって出来上がった間取りがお客様自身に使いやすいかどうか検討するのみで、生活動線設計をはじめとする住宅設計を個々の居住予定者それぞれの暮らし方に合わせるという考えではなかった。
【０００６】
具体的には、従来の住宅設計では、住宅空間構成要素の配置について検討されるのみで、建築された後に、その建築物の居住予定者（建築主）が実際にどのような生活動線で生活するかまでは深く検討されてこなかった。すなわち、従来の住宅設計では、住宅空間構成要素の配置等については検討されるが、居住予定者がどのような生活動線で住宅においてどのように生活するか専門家と居住予定者とが一緒になって検討するようなことはなく、住宅を建てた後に、住みにくい構造になってしまうという問題点があった。
【０００７】
また、住宅設計は、住宅空間構成要素を効率よく住宅建設スペースに配置することを主眼に行われるため、住宅の専門家が主導する場合がほとんどで、居住予定者が住宅設計に関与できる場面は極めて限定的であった。なお、特許文献１に記載のパズル型の設計方法であっても、顧客（居住予定者）の提案用に、複数のパターンを専門家が構築しやすくすることを目的としており、住宅が住みやすい間取りになっているか確認するためのものではなかった。
【０００８】
これらの問題は、住宅設計が高度化複雑化するほど顕著になっており、住みやすい住宅を提供しようとする建築業者にとっては、新規かつ重大な問題となっている。すなわち、従来から、「家は三回立てないと満足できない」という定説があるほど、顧客を完全に満足させる住宅を建設することは極めて困難であった。
【０００９】
そして、専門家は、機能やコストの優位性をアピールし、その情報に基づき顧客は、専門家の考えに従った商品性で住宅を建設するしかなく、そのような場合は、機能やコストに現れない「心地よい暮らし」を感じる人はほとんどいなかった。
【００１０】
本発明は、上記のような問題に鑑み、居住予定者が住宅設計に積極的に関与でき、かつ居住予定者の生活動線を考慮した住宅設計を可能とすることを目的とする。
【００１１】
すなわち、本発明は、生活動線の設計を住宅設計に組み込むことにより、専門家が主導する従来の家づくりではなく、顧客が感じる「心地よい暮らし」を中心とした住宅設計を可能とし、顧客が誇りと愛着をもてる住宅を建設可能とすることを目的とする。
【課題を解決するための手段】
【００１２】
（１）本発明に係る生活動線の設計方法は、住宅基本設計前に行われる。この生活動線の設計方法は、住宅を構成する複数の住宅空間構成要素と、前記住宅空間構成要素を配置される基本レイヤーとを準備する準備ステップと、前記基本レイヤーに前記住宅空間構成要素を配置する住宅空間構成要素配置ステップと、前記住宅空間構成要素の間を移動すると予想される前記生活動線を描く生活動線描画ステップとを備えることを特徴とする。
【００１３】
この生活動線の設計方法によれば、住宅基本設計の前に、生活動線の設計が行われるため、生活動線を前提にして住宅空間構成要素を住宅建設スペースに適用する設計が可能となる。すなわち、生活動線を優先的に考慮した住宅設計が可能となる。
【００１４】
さらに、この生活動線の設計方法は、少なくとも準備ステップと住宅空間構成要素配置ステップと生活動線描画ステップとを含んでおり、これらの各ステップは住宅の専門家でなくても行うことができ、また、生活動線描画ステップにおいて、住宅空間構成要素の間を移動すると予想される居住予定者の生活動線を描くため、生活動線の情報を有する居住予定者が住宅設計に積極的に関与できる。
【００１５】
（２）前記住宅空間構成要素配置ステップは、前記住宅空間構成要素が移動可能に前記基本レイヤーに配置されていることを特徴としてもよい。そのようにすれば、住宅空間構成要素の移動と、生活動線描画ステップとを繰り返しながら生活動線を設計することにより、最適な生活動線の設計が可能となる。
【００１６】
また、トライアンドエラーで生活動線の設計をすることが可能になるため、専門家でない居住予定者が、住宅空間構成要素の移動や、生活動線を描くことができるため、生活動線の設計に主体的に関与することができる。
【００１７】
（３）前記住宅空間構成要素配置ステップは、前記住宅空間構成要素が平面視で円、楕円または角丸であることを特徴としてもよい。そのようにすれば、住宅空間構成要素を敷き詰めて配置することなく、また住宅空間構成要素の移動が容易となるため、適切なスペースを確保して住宅空間構成要素を配置することができ、自由度の高い生活動線を描くことが可能となる。
【００１８】
（４）前記生活動線描画ステップは、前記基本レイヤーに重ねられた少なくとも１枚の生活動線レイヤーに前記生活動線を描くことを特徴としてもよい。そのようにすれば、住宅空間構成要素が配置された基本レイヤーとは別の生活動線レイヤーに生活動線を描くため、基本レイヤーと生活動線レイヤーとを切り分けて、住宅空間構成要素配置ステップと生活動線描画ステップとを行うことができ、自由度の高い生活動線の設計が可能となる。
【００１９】
（５）前記生活動線描画ステップは、少なくとも人物、季節、時間またはこれらの組み合わせの要素に応じて前記生活動線を描くことを特徴としてもよい。そのようにすれば、各生活動線レイヤーごとに人物、季節、時間等の情報を切り分けて生活動線描画ステップとを行うことができ、自由度の高い生活動線の設計が可能となる。かつ、これらの要素は、居住予定者しか知り得ないため、生活動線描画ステップにおいても居住予定者が深く関わることになり、生活動線の情報を有する居住予定者が住宅設計に積極的に関与できる。
【００２０】
（６）前記生活動線の設計方法は、前記生活動線描画ステップの後に、前記住宅空間構成要素配置ステップにより住宅空間構成要素を配置された前記基本レイヤーと生活動線が描かれた前記生活動線レイヤーとの状態を記録する記録ステップと、前記記録ステップの後に、記録された前記基本レイヤーと前記生活動線レイヤーとの状態に基づいて、再度、住宅空間構成要素配置ステップ及び生活動線描画ステップの少なくともいずれか一方を行うことを特徴とする。
【００２１】
そのようにすれば、記録された基本レイヤーと各生活動線レイヤーとに基づいて、住宅空間構成要素配置ステップ、生活動線描画ステップ等の生活動線の設計を容易に繰り返して行うことができ、居住予定者が住宅設計に積極的に関与できるようになる。
【００２２】
（７）本発明に係る生活動線の設計ツールは、住宅基本設計前に行う生活動線の設計に利用される。この生活動線の設計ツールは、住宅を構成する複数の住宅空間構成要素と、前記住宅空間構成要素を配置される基本レイヤーと、生活動線を描く生活動線レイヤーとを備えることを特徴とする。
【００２３】
この生活動線の設計ツールによれば、住宅基本設計の前に、生活動線の設計を行えるため、生活動線を前提にして住宅空間構成要素を住宅建設スペースに適用する設計が可能となる。すなわち、生活動線を優先的に考慮した住宅設計が可能となる。
【００２４】
さらに、この生活動線の設計ツールは、少なくとも住宅空間構成要素と基本レイヤーと生活動線レイヤーとを備えればよく、住宅の専門家でなくても、生活動線の設計ができ、また、住宅空間構成要素の間を移動すると予想される居住予定者の生活動線を生活動線レイヤーに描くため、生活動線の情報を有する居住予定者が住宅設計に積極的に関与できる。
【００２５】
（８）前記住宅空間構成要素は、平面視で円、楕円または角丸であってもよい。そのようにすれば、住宅空間構成要素を敷き詰めて配置することなく、適切なスペースを確保して配置することができ、自由度の高い生活動線を描くことが可能となる。
【発明の効果】
【００２６】
居住予定者が住宅設計に積極的に関与でき、かつ居住予定者の生活動線を考慮した住宅設計が可能となる。
【図面の簡単な説明】
【００２７】
【図１】本発明の実施形態に係る生活動線の設計ツールを示す概略図である。
【図２】本発明の実施形態に係る生活動線の設計方法を示すフロー図である。
【図３】本発明の実施形態に係る生活動線の設計方法の住宅空間構成要素配置ステップを行った生活動線設計ツールの概略図である。
【図４】図３に示す住宅空間構成要素配置ステップの後に、通路描画ステップを行った生活動線設計ツールの概略図である。
【図５】図４に示す住宅空間構成要素配置ステップの後に、基本レイヤーに生活動線レイヤーを重ね、父親の生活動線を描く生活動線描画ステップを行った生活動線設計ツールの概略図である。
【図６】図４に示す住宅空間構成要素配置ステップの後に、基本レイヤーに生活動線レイヤーを重ね、母親の生活動線を描く生活動線描画ステップを行った生活動線設計ツールの概略図である。
【図７】図４に示す住宅空間構成要素配置ステップの後に、基本レイヤーに生活動線レイヤーを重ね、息子の生活動線を描く生活動線描画ステップを行った生活動線設計ツールの概略図である。
【図８】図５〜図７に示す生活動線描画ステップにより作成された父親、母親および息子の生活動線レイヤーを基本レイヤーに重ね、家族全員の生活動線を表示した生活動線設計ツールの概略図である。
【図９】図４に示す住宅空間構成要素を配置した基本レイヤーを撮影した写真の概略図である。
【図１０】図５に示す生活動線描画ステップにより作成された父親の生活動線レイヤーを示す図である。
【図１１】図６に示す生活動線描画ステップにより作成された母親の生活動線レイヤーを示す図である。
【図１２】図７に示す生活動線描画ステップにより作成された息子の生活動線レイヤーを示す図である。
【発明を実施するための形態】
【００２８】
［生活動線の設計ツール］
【００２９】
本発明の一実施形態に係る生活動線の設計ツールＴについて図１を参照しながら説明する。本実施形態において、有体物により構成される設計ツールについて説明するが、生活動線の設計ツールは、ソフトウエアのような無体物により構成されてもよい。
【００３０】
生活動線の設計ツールＴは、住宅設計における基本設計の前に行われる生活動線の設計に利用できる。生活動線の設計ツールＴは、主に、住宅を構成する複数の住宅空間構成要素と、住宅空間構成要素を配置される少なくとも１つの基本レイヤーと、生活動線を描くための複数の生活動線レイヤーとを備える。
【００３１】
基本レイヤーは、住宅空間構成要素に対して広域の平面を備え、複数の住宅空間構成要素を着脱可能かつ移動可能に取り付けることができる。本実施形態において、基本レイヤーは、いわゆるホワイトボード１０の外枠１２に囲まれた作業面１４により構成される。ホワイトボード１０は、鉄板の一方の面に白い塗装およびアクリルコーティングを行った、いわゆるスチール製のホワイトボードであり、作業面１４は、広域の平面領域を形成する。作業面１４では、マジックペンにより描かれる線画を容易に消すことができる。
【００３２】
生活動線レイヤーは、基本レイヤーに重ねられて生活動線を描かれる。生活動線レイヤーは、透明性を有し、基本レイヤーに重ねられた状態で基本レイヤーに配置された生活空間構成要素が生活動線レイヤーを介して視認可能となっている。
【００３３】
本実施形態における生活動線レイヤーは、透明な合成樹脂製のシート、いわゆるアクリル製のクリアシート２０である。クリアシート２０は、通常は平面を構成する程度の剛性を有するとともに、折り曲げ可能な程度の靭性を有する。しかし、クリアシート２０は、折り曲げ不能な程度の剛性を有していてもよい。
【００３４】
住宅空間構成要素は、リビング、ダイニング、キッチン、軒先、居住予定者の各居室、各寝室、風呂、トイレ、ウォークインクローゼット、庭、玄関等のように、居住予定者が生活をするうえで必要となる住宅空間構成を表示する。
【００３５】
住宅空間構成要素は、生活動線の設計に参加する居住予定者および建築の専門家（以下「作業者」とも称する。）により、必要に応じて作成される。すなわち、生活空間構成要素は、作業者が住宅に必要と考える住宅空間構成から作成される。
【００３６】
本実施形態において、住宅空間構成要素は、一方の面が磁力を帯びた、いわゆるマグネットシートが数センチ程度のサイズに切断され、切断されたパーツの他方の面に、マジックペンで住宅空間構成の名称を記載することにより作成される。本実施形態の説明において、このようにマグネットシートを切断し、住宅空間構成の名称を記載したものをマグネットパーツ３０と称する。
【００３７】
マグネットパーツ３０は、基本レイヤーであるホワイトボード１０に着脱可能かつ移動可能に貼付することができる。マグネットパーツ３０に記載される住宅空間構成の名称は、住宅空間構成の属性ごとに色分けされている。例えば、各居住予定者のうち、父親が専ら利用する住宅空間構成の名称は黒色、母親が専ら利用する住宅空間構成の名称は黄色といったように色分けられてもよい。
【００３８】
また、マグネットパーツ３０を作成するためのマグネットシートは、他方の面が白色であるが、マグネットシートは、作成される住宅空間構成の属性ごとに色分けされてもよい。例えば、各居住予定者の寝室は黒色、台所、風呂のような水回りは青色といったように色分けされてもよい。
【００３９】
マグネットパーツ３０は、所望の形に切断可能であり、住宅空間構成要素は、概略円形、または楕円、角丸の多角形に切断されている。また、マグネットパーツ３０の他方の面は、コーティングにより、マジックペンで記載した住宅空間構成の名称を消せるようになっている。しかし、例えば、マグネットパーツは、住宅空間構成の名称を記載したテープを切断されたマグネットシートに貼付して作成してもよい。
【００４０】
なお、本実施の形態において、住宅空間構成として父母の寝室、息子の寝室、風呂、リビング、洗面所、脱衣所、物干し、トイレ、クローゼット等が他方の面に記載され、住宅空間構成要素が構成されている。
【００４１】
［生活動線の設計方法］
【００４２】
本発明の一実施形態に係る生活動線の設計方法について図２〜図１１を参照しながら説明する。生活動線の設計方法は、住宅建設における住宅基本設計の前に行われる生活動線の設計に利用できる。
【００４３】
本実施形態において、生活動線の設計方法は、生活動線の設計ツールＴを利用して行う。しかし、生活動線の設計方法は、住宅設計の基本設計前に、居住予定者の生活動線を設計できれば、他のツールによって実行されてもよい。例えば、生活動線の設計方法は、生活動線の設計ツールＴをソフトウエア化したものを利用して行われてもよい。
【００４４】
図２に示すように、生活動線の設計方法は、準備ステップ（Ｓ−１）と、住宅空間構成要素配置ステップ（Ｓ−２）と、通路描画ステップ（Ｓ−３）と、生活動線描画ステップ（Ｓ−４）と、記録ステップ（Ｓ−５）とを含む。
【００４５】
準備ステップ（Ｓ−１）では、まず、住宅空間構成要素と、住宅空間構成要素を配置される基本レイヤーと、生活動線を描く生活動線レイヤーとを準備する（図１を参照）。
【００４６】
準備ステップでは、住宅空間構成要素と、基本レイヤーと、生活動線レイヤーとに加え、それらに文字、線、図形等を描画するためのマジックペンが準備される。本実施形態において、マジックペンは、太さおよび色の異なる複数のマジックペンが準備される。
【００４７】
本実施形態において、準備するとは、マグネットパーツ３０、ホワイトボード１０、クリアシート２０、マジックペン等を揃え、使用できる状態にすることをいう（図１を参照）。また、準備には、例えば、マグネットパーツ３０にマジックペンで文字等を記載し、生活空間構成要素を作成することも含んでもよい。
【００４８】
次に、住宅空間構成要素配置ステップ（Ｓ−２）では、基本レイヤーに住宅空間構成要素を配置する（図３を参照）。このとき、実際の間取りを気にすることなく、生活動線が描きやすいように、住宅空間構成要素を配置するとよく、居住予定者の話を聞きながら、専門家が住宅空間構成要素を配置するようにするとよい。
【００４９】
本実施形態において、住宅空間構成要素配置ステップでは、前記住宅空間構成要素であるマグネットパーツ３０が、基本レイヤーであるホワイトボード１０の作業面１４に配置されることを特徴とする。本実施形態における住宅空間構成要素配置ステップでは、ホワイトボードに磁力により吸着可能なマグネットパーツ３０を取り付けることで、移動可能かつ取外可能に配置することができる。
【００５０】
ここで、マグネットパーツ３０は、円形、楕円形または角丸であるため、角がある形状である場合に比較して、他のマグネットパーツ３０と干渉しにくいため、移動が容易である。本実施形態における住宅空間構成要素配置ステップでは、父母の寝室、息子の寝室、風呂、リビング、洗面所、脱衣所、物干し、トイレ、クローゼット等の住宅空間構成要素が、所定の間隔をおいて配置されている。
【００５１】
住宅空間構成要素の配置は、生活動線の設計方法が住宅設計の基本設計前に行われるため、実際の住宅の配置を予想することなく、自由な発想で配置することができる。
【００５２】
次に、通路描画ステップ（Ｓ−３）では、住宅空間構成要素を繋ぐ通路を描く（図４を参照）。
【００５３】
通路描画ステップでは、住宅空間構成要素を配置した基本レイヤー上に、住宅空間構成要素を繋ぐように、通路に相当する線画を描く。このとき、全ての住宅空間構成要素が、少なくとも１つの通路に繋がるように、線画を描くとよい。本実施形態において、ホワイトボード１０の作業面１４に配置されたマグネットパーツ３０の間をつなぐように、マジックペンで線画４０を描く。
【００５４】
本実施形態において、通路描画ステップでは、基本レイヤーに通路に相当する線画を描くようにしたが、基本レイヤーと異なる他のレイヤーに、通路に相当する線画を描写してもよい。例えば、クリアシート２０の１つを通路レイヤーとして、当該クリアシート２０に通路に相当する線画を描くようにしてもよい。
【００５５】
なお、通路に相当する線画４０は、通路の種類によって色分けされてもよい。例えば、住宅の外と中を繋ぐ通路は黒色、住宅内の通路は黄緑色、階段に相当する通路は黄色といったように色分けしてもよい。
【００５６】
また、通路に相当する線画の他に、属性に応じて住宅空間構成要素を区分けするように線画を描いてもよく、例えば、本実施形態において、線画４１により、住宅の２階に設けられる父母の寝室、クローゼットおよび書斎を区分けしている。
【００５７】
次に、生活動線描画ステップ（Ｓ−４）では、住宅空間構成要素の間を移動すると予想される生活動線を描く（図５〜図８を参照）。
【００５８】
生活動線描画ステップでは、住宅空間構成要素の間を移動すると予想される生活動線を基本レイヤーとは異なる生活動線レイヤーに描く。
【００５９】
生活動線レイヤーは、透明であるため、基本レイヤーに重ねられることにより、生活動線５０は、基本レイヤーに配置された生活空間構成要素を考慮し、居住予定者の予想される動きを表示するように、生活空間構成要素の間をつなぐように描かれる。このとき、生活動線５０は、行き来の多くなる通路程、線画が太くなるように描写される。本実施形態において、線画の太さはペン先の太さのことなるマジックペンで描くことにより変更してもよいし、複数回なぞることにより変更してもよい。
【００６０】
また、生活動線は、居住予定者、時間、季節等の要因に応じて、色分けするようにしてもよい。本実施形態において、生活動線レイヤーに描かれる線画は、居住予定者に応じて色分けされており、父親は、青色、母親は赤、息子は緑色で描かれている。
【００６１】
また、生活動線レイヤーは、居住予定者の各人について設けられてもよい。本実施形態において、父、母、息子の３人を対象としたとき、３枚の生活動線レイヤーを用意し、各人の生活動線を描くことができる。これにより、人物に応じた生活動線レイヤーを作成できる。
【００６２】
すなわち、作業面１４に重ねられ、父の生活動線５１の描かれたクリアシート２１（図５を参照）と、作業面１４に重ねられ母の生活動線５２の描かれたクリアシート２２（図６を参照）と、息子の生活動線５３の描かれたクリアシート２３（図７を参照）とのように、各居住予定者におうじて生活動線レイヤーが作成される。さらに、作業面１４と、クリアシート２１〜２３を重ね合わせることにより、居住予定者全員の生活動線を確認することができる（図８を参照）。
【００６３】
また、生活動線描画ステップでは、生活動線レイヤーを、例えば、季節に応じた生活動線を描いてもよく、また、例えば、一日の時間帯に応じて生活動線を描いてもよく、すなわち、人物、季節、時間またはこれらの組み合わせの要素に応じて作成してもよい。そのような生活動線は、居住予定者が決定しなければ描くことができないため。生活動線設計を行うことにより、居住予定者が積極的に住宅設計に関与できるようになる。
【００６４】
次に、生活動線の設計方法では、各レイヤーの状況を記録する（Ｓ−５：記録ステップ）。
【００６５】
記録ステップでは、住宅空間構成要素配置ステップにより住宅空間構成要素を配置され、通路描画ステップで通路に相当する線画を描写された基本レイヤーと、生活動線が描写された生活動線レイヤーとの状態を記録する。
【００６６】
本実施形態において、基本レイヤーは、写真を撮影することにより、状況を記録される（図９を参照）。また、各生活動線レイヤー（図１０〜図１２を参照）は、描写された線画が消えないように、シートフォルダー等に収納されることにより、状況を記録される。これにより、各レイヤーの状況を後で再現することができる。本実施形態において、写真は、スマートフォンやデジカメのような携帯可能な撮像装置により撮影されるとよい。
【００６７】
その後、生活動線の設計方法では、記録ステップで記録された各レイヤーの状況に基づいて、再度、住宅空間構成要素配置ステップまたは生活動線描画ステップの少なくともいずれか一方を行う。
【００６８】
これにより、例えば、基本レイヤーに新たな住宅空間構成要素を配置したり、新たな生活動線レイヤーを追加することができる。また、生活動線レイヤーに描写した線画の一部を除去して、他の線画を描くように修正することもできる。
【００６９】
［変形例］
【００７０】
本実施系形態において、基本レイヤーは、ホワイトボード１０の作業面１４であるが、ホワイトボード１０は、外枠１２を備えず、ホワイトボードの一方の面の全域であってもよい。
【００７１】
また、各クリアシート２０は１００％に近い透過率を有するが、クリアシートごとに透明度が異なっていてもよく、異なる色味を帯びた透明であってもよい。そして、例えば、クリアシートの色味に応じて、人物、季節、時間およびこれらの組み合わせの要素で分けて利用されてもよい。
【００７２】
本実施系形態において、マグネットパーツ３０は、マグネットシートを切断して、住宅空間構成の名称を記載して作成されている。しかし、マグネットパーツは、切断したマグネットシートにテープを張って、テープに住宅空間構成の名称を記載するようにしてもよく、また、住宅空間構成要素は、基本レイヤーに着脱可能かつ移動可能に取り付けることができればよく、例えば、マグネットシートに代えて、付箋のような着脱可能な接着シートから作成してもよい。
【００７３】
本実施形態において、生活動線の設計方法は、準備ステップ（Ｓ−１）と、住宅空間構成要素配置ステップ（Ｓ−２）と、通路描画ステップ（Ｓ−３）と、生活動線描画ステップ（Ｓ−４）と、記録ステップ（Ｓ−５）とを一連の流れで説明した。しかし、生活動線の設計方法は、少なくとも、準備ステップと、住宅空間構成要素配置ステップと、生活動線描画ステップとを含んでいればよく、複数のステップを繰り返し行ったり、ステップの順序を入れ替えたりと、生活動線の設計の設計に応じて、適宜必要なステップを必要な順で行うことができる。
【００７４】
例えば、住宅空間構成要素配置ステップで配置した後に、通路描画ステップで通路に相当する線画を描いたが、このとき、通路に相当する線画が、重複するような場合には、住宅空間構成要素配置ステップに戻り、線画が重複しないように住宅空間構成要素配置ステップをやり直してもよいし、一部の住宅空間構成要素を移動するようにしてもよい。
【００７５】
また、例えば、住宅空間構成要素配置ステップの後に、通路描画ステップを行わず、生活動線描画ステップを行ってもよいし、生活動線描画ステップの後に、住宅空間構成要素を追加するようなことがあってもよい。
【００７６】
また、記録ステップで記録した基本レイヤーに基づいて、再び生活動線の設計を行う場合に、本実施形態におけるホワイトボードの写真のとおりに、住宅空間構成要素を配置し、通路に相当する線画を描くように、住宅空間構成要素配置ステップと通路描画ステップとを再度行ってから、生活動線描画ステップを行うようにしてもよい。
【００７７】
本実施形態において、基本レイヤーである作業面１４と生活動線レイヤーであるクリアシート２１、２２、２３とをずらして重ねるように表現したが、基本レイヤーと、生活動線レイヤーとは、同一サイズとして、基本レイヤーに対して、生活動線レイヤーをズレないように固定できるようにしてもよい。例えば、クリアシート２０を、ホワイトボード１０の外枠１２の内側、すなわち作業面１４と同一サイズとすることで、外枠１２の作用によりクリアシート２０をホワイトボード１０から横ずれしないように固定することができる。
【００７８】
本実施形態において、居住予定者の属性に応じて生活動線レイヤーを作成したため複数の生活動線レイヤーが作成されたが、１つの生活動線レイヤーに、人物、季節、時間およびこれらの組み合わせ等の複数の属性に応じた生活動線を描画してもよい。
【００７９】
本実施形態において、マグネットパーツ３０は、それぞれが、所定の間隔をおいて配置されたが、マグネットパーツ３０は、シート状に形成されているため、重ねて配置されてもよい。そのようにすれば、例えば、廊下を有さず、複数の部屋が繋がっている場合に、マグネットパーツ３０を重ねて配置することにより、部屋の繋がりを表現することができる。
【００８０】
さらに、本実施形態において、生活動線の設計ツールとして、基本レイヤー、住宅空間構成要素、生活動線描写レイヤーを説明してきたが、これらに限らに加え、他の道具を利用してもよい。例えば、住宅空間構成要素と各人の動きを時間軸で表現した表を作成してもよく、その表には、基本レイヤーに配置された住宅空間構成要素をそのまま記載して表現してもよい。
【００８１】
以上、本発明に具体的な態様を、上記の実施形態により説明したが、本発明は、当該実施形態に限定されるものではない。
【産業上の利用可能性】
【００８２】
本発明は、住宅設計における基本設計前に行われる生活動線の設計に利用できる。
【符号の説明】
【００８３】
Ｔ    生活動線の設計ツール
１４    基本レイヤー
２０、２１、２２、２３    クリアシート
３０    マグネットパーツ
４０、４１    線画
５０、５１、５２、５３    生活動線
【図１】
2019128853.tif 000003
【図２】
2019128853.tif 000004
【図３】
2019128853.tif 000005
【図４】
2019128853.tif 000006
【図５】
2019128853.tif 000007
【図６】
2019128853.tif 000008
【図７】
2019128853.tif 000009
【図８】
2019128853.tif 000010
【図９】
2019128853.tif 000011
【図１０】
2019128853.tif 000012
【図１１】
2019128853.tif 000013
【図１２】
2019128853.tif 000014